(57)【特許請求の範囲】
【請求項１】
内部時計を有する自動修正時計であって、
第１の指針駆動系により駆動される第１の指針車と、
第２の指針駆動系により駆動される第２の指針車と、
少なくとも前記第１の指針車および第２の指針車のそれぞれに形成された基準位置を示す指標の重なり状態により、複数の所望の時間に指針位置を検出可能とする指針位置検出系と、
前記内部時計が所定の時刻になると、前記指針位置検出系に前記指標の重なり状態を検出させ、前記指標が重なっていない場合には、前記第１および第２の指針駆動系を駆動させて前記所望の時間に前記指針位置を検出させ、前記指針位置を検出するまでの検出時間が所望の時間の範囲外の場合には、再度、前記第１および第２の指針駆動系を駆動させて次の前記所望の時間に前記指針位置を検出させ、前記検出時間が所望の時間の範囲内の場合には、当該指針位置検出系の指針位置検出結果に基づいて、内部時計と一致するように指針位置を修正する制御部と
を有する自動修正時計。
【請求項２】
警告信号を受けて警告を発する警告手段を有し、
前記制御部は、前記内部時計が所定の時刻になると、前記指針位置検出系により前記指標の重なり状態を検出し、所望の重なり状態でない場合が所定の回数よりも多い場合には、前記警告手段に警告信号を出力して警告を行わせる
請求項１に記載の自動修正時計。
【請求項３】
前記第１の指針車および第２の指針車のそれぞれに形成された基準位置を示す指標は少なくとも１つの透孔であり、
前記指針位置検出系は、前記各透孔が重なり合うことができる領域に検出光を出射する発光素子と、前記発光素子の検出光うち前記透孔の重なり領域の全ての透孔を通過した光を受光可能な位置に配置され、受光レベルに応じた検出信号を出力する受光素子を有する透過型光検出センサを含む
請求項１または２に記載の自動修正時計。
【発明の詳細な説明】
【０００１】
【発明の属する技術分野】
本発明は、たとえば電波信号を受けて時刻修正を行う電波修正時計等の自動修正時計に関するものである。
【０００２】
【従来の技術】
電波修正時計は、たとえば、福島県田村郡都路村おおたかどや山の標準電波送信所から送信された標準周波数と時刻情報を含んだ周波数４０ｋＨｚの標準電波を受信し、時刻情報に基づいて、いわゆる帰零などを行う機能を有している。そして、帰零の際、指針の位置を正確に正時に合わせるなどのため、指針位置検出装置が設けられている。
【０００３】
この種の電波修正時計は、標準電波を受信する受信系回路と、内部時計と、受信信号に基づいて指針駆動系を駆動して時刻修正を行う制御回路とを内蔵しており、時刻修正モードとしては、たとえば初期状態で時刻情報が無い初期修正モードと通常モードを有している。
【０００４】
初期修正モードにおいては、たとえば電波修正時計を購入し、屋内の所定の箇所に載置するに際し、まず時計の所定の位置に電池が挿入されセットされる。
次に、初期針合わせとして、針位置検出並びに帰零動作が行われる。
帰零動作が完了すると、受信回路による標準電波の受信が開始され、この受信電波が制御回路に入力される。
【０００５】
制御回路では、入力した電波信号に基づいて時刻へのデコード動作が行われる。デコードの結果、時刻化が可能である場合には、指針位置がデコードした時刻コードに応じた位置に修正され、初期修正モードが終了し、通常修正モードへ移行する。
【０００６】
一方、時刻化が不可能である場合には指針位置の修正が行われず、その旨が、たとえば時計本体に設けられた報知手段としてのＬＥＤ等を点灯させて、ユーザーに報知される。
【０００７】
通常修正モードでは、初期修正モードで指針位置の修正を行った後、指針位置が受信した電波信号の時刻コードに応じた位置に修正される。
【０００８】
【発明が解決しようとする課題】
ところで、上述した電波修正時計では、出荷時等に、初期の位置検出および位置あわせが行われるが、その後何らかの原因で指針位置がずれても、全く補正することなく放置されているのが現状である。しかしながら、電波時計の場合は、１ステップずれていても重大な不良となる。
【０００９】
また、従来の電波修正時計では、輪列にゴミが付着するなどの理由で位置検出がずれた場合には、ユーザが気付かないうちに時刻表示が大きくずれるという問題点がある。
【００１０】
本発明は、かかる事情に鑑みてなされたものであり、その目的は、指針位置検出の不良等で、内部時計と指針の表示がずれてしまった場合であっても、自動的に指針位置を修正可能な自動修正時計を提供することにある。
【００１１】
【問題を解決するための手段】
前記課題を解決するために、本発明の自動修正時計は、内部時計を有する自動修正時計であって、第１の指針駆動系により駆動される第１の指針車と、第２の指針駆動系により駆動される第２の指針車と、少なくとも前記第１の指針車および第２の指針車のそれぞれに形成された基準位置を示す指標の重なり状態により、複数の所望の時間に指針位置を検出可能とする指針位置検出系と、前記内部時計が所定の時刻になると、前記指針位置検出系に前記指標の重なり状態を検出させ、前記指標が重なっていない場合には、前記第１および第２の指針駆動系を駆動させて前記所望の時間に前記指針位置を検出させ、前記指針位置を検出するまでの検出時間が所望の時間の範囲外の場合には、再度、前記第１および第２の指針駆動系を駆動させて次の前記所望の時間に前記指針位置を検出させ、前記検出時間が所望の時間の範囲内の場合には、当該指針位置検出系の指針位置検出結果に基づいて、内部時計と一致するように指針位置を修正する制御部とを有する。
【００１２】
好適には、警告信号を受けて警告を発する警告手段を有し、前記制御部は、前記内部時計が所定の時刻になると、前記指針位置検出系により前記指標の重なり状態を検出し、所望の重なり状態でない場合が所定の回数よりも多い場合には、前記警告手段に警告信号を出力して警告を行わせる。
【００１３】
また、好適には、前記第１の指針車および第２の指針車のそれぞれに形成された基準位置を示す指標は少なくとも１つの透孔であり、前記指針位置検出系は、前記各透孔が重なり合うことができる領域に検出光を出射する発光素子と、前記発光素子の検出光うち前記透孔の重なり領域の全ての透孔を通過した光を受光可能な位置に配置され、受光レベルに応じた検出信号を出力する受光素子を有する透過型光検出センサを含む。
【００１４】
本発明によれば、たとえば、制御信号により第１制御信号および第２の制御信号が出力されて、第１の指針駆動系の指針車および第２の指針駆動系の第２の指針車が回転する。
【００１５】
そして、所定の時刻になると、指針位置が正常か否かの判別のために、発光素子から検出光が発光される。そして、第１の指針車および第２の指針車のそれぞれに形成された透孔が重なり合い、全ての透孔を通過した検出光が光検出センサで検出されると、制御部では指針位置が正常であると判別される。
【００１６】
そして、何らかの原因で透孔が重なっていない場合、制御部では、第１および第２の指針駆動系を駆動させて指針位置を検出させ、指針位置を検出するまでの検出時間が所望の時間の範囲外の場合には、再度、第１および第２の指針駆動系を駆動させて指針位置を検出させ、検出時間が所望の時間の範囲内の場合には、指針位置検出系の指針位置検出結果に基づいて、内部時計と一致するように指針位置を修正させる。
また、制御部では、所望の重なり状態でない場合が所定の回数よりも多い場合には、警告手段に警告信号を出力して、たとえば、警告音を発音する等の警告を行わせる。
【００１７】
【発明の実施の形態】
本発明に係る自動修正時計としての本実施の形態の電波修正時計では、たとえば標準時刻電波送信局から周波数４０ｋＨｚで送信された標準時刻電波信号を受信し、標準時刻電波信号に含まれる時刻コードに基づいて時刻の修正を行う。
【００１８】
図１は本発明に係る自動修正時計としての電波修正時計の信号処理系回路の一実施の形態を示すブロック図、図２は本発明に係る電波修正時計の指針位置検出装置の一実施の形態の全体構成を示す図、図３は本発明に係る電波修正時計の指針位置検出装置の要部の平面図である。
【００１９】
図において、１０は信号処理系回路、１１は標準電波信号受信系、１２は受信スイッチ、１３は発振回路、１４は制御回路、１５ドライブ回路、１６は警告手段および報知手段としての発光素子、１７はバッファ回路、１８はドライブ回路、２０は修正用スイッチ群、３０は液晶表示パネル、Ｖｃｃは電源電圧、Ｃ1 からＣ3 はキャパシタ、Ｒ1 からＲ5 は抵抗素子、１００は時計本体、１２０は秒針を駆動する第１駆動系、１３０は指針である分針および時針を駆動する第２駆動系、１４０は光透過型光検出センサ、１５０は利用者が手により直接時刻合わせを行う手動修正系をそれぞれ示している。
【００２０】
また、液晶表示パネル３０は、図４に示すように、文字盤２０１の略中央の指針軸より下側（６時側）に設けられている。
液晶表示パネル３０は、制御回路１４による制御により時刻およびカレンダー表示をデジタルで表示可能である。
また、図４において、２０２は秒針、２０３は分針、２０４は時針をそれぞれ示している。
【００２１】
標準電波信号受信系１１は、受信アンテナ１１ａと、たとえばキー局から送信された時刻コード信号を含む標準時刻電波Ｓ１を受信し、所定の処理を行いパルス信号Ｓ１１として制御回路１４に出力する長波受信回路１１ｂとから構成されている。
この長波受信回路１１ｂは、たとえばＲＦアンプ、検波回路、整流回路、および積分回路とから構成されている。
【００２２】
なお、標準電波信号受信系１１で受信される、日本標準時を高精度で伝える長波の標準電波は、図５（ａ）に示すような形態で送られてくる。
【００２３】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００２４】
そして、受信状態が良好な場合には、標準電波信号受信系１１からは図５（ｂ）に示すように、標準電波信号に応じたパルス信号として信号Ｓ１１が、制御回路１４に出力される。
【００２５】
次に、長波標準電波の送信データについて説明する。
図６は、標準時刻電波信号の時刻コードの一例を示している。
【００２６】
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００２７】
日本の標準電波は以前（実験局当時）の送信データに加え、年下２桁、曜、分パリティ、時パリティ、サマータイム導入の際に使用予定である予備ビット、うるう秒が追加された（図６（ｂ）参照）。以下これら新設された情報のうち、特に予備ビット、うるう秒情報、停波情報について説明する。
【００２８】
予備ビットは表１に示される如く、ＳＵ１、ＳＵ２を使用する。これらは将来の情報拡張のために用意されたものである。サマータイム情報でこのビットが活用されるときは、ＳＵ１＝ＳＵ２＝０では「６日以内に夏時間への変更無し」、ＳＵ１＝１・ＳＵ２＝０では「６日以内に夏時間への変更あり」、ＳＵ１＝０・ＳＵ２＝１では「夏時間実施中」、ＳＵ１＝ＳＵ２＝１では「６日以内に夏時間終了」となるような情報形態となっている。夏時間への切り換わりについては日本ではまだサマータイムが導入されておらず、未だ不明の状態であるが欧州のサマータイムの切り替わりをみると、夜中のうちに行っている場合が多い。
【００２９】
【表１】
0003853609.tif 000002
【００３０】
次にうるう秒は表２に示される如く、ＬＳ１、ＬＳ２の２ビットを使用し、ＬＳ１＝ＬＳ２＝０では、「１ヶ月以内にうるう秒の補正を行わない」、ＬＳ１＝１・ＬＳ２＝０では「１ヶ月以内に負のうるう秒（削除）あり」つまり１分間が５９秒となり、ＬＳ１＝ＬＳ２＝１では「１ヶ月以内に正のうるう秒（挿入）あり」つまり１分間が６１秒となるような情報形態となっている。うるう秒の補正のタイミングは既に決められており、ＵＴＣ時刻の１月１日もしくは７月１日の直前に行われることになっている。よって、日本時間（ＪＴＣ）では１月１日もしくは７月１日午前９：００直前に行われることになる。
【００３１】
【表２】
0003853609.tif 000003
【００３２】
停波情報は表３の（ａ）、（ｂ）、（ｃ）に示される如く、ＳＴ１、ＳＴ２、ＳＴ３、ＳＴ４、ＳＴ５、ＳＴ６を使用し、ＳＴ１・ＳＴ２・ＳＴ３で停波開始予告、ＳＴ４で停波時間帯予告、ＳＴ５・ＳＴ６で停波期間予告の停波情報を提供する。まず停波開始予告について説明すると、ＳＴ１＝ＳＴ２＝ＳＴ３＝０では「停波予定無し」、ＳＴ１＝ＳＴ２＝０・ＳＴ３＝１では「７日以内に停波」、ＳＴ１＝０・ＳＴ２＝１・ＳＴ３＝０では「３から６日以内に停波」、ＳＴ１＝０・ＳＴ２＝ＳＴ３＝１では「２日以内に停波」、ＳＴ１＝１・ＳＴ２＝ＳＴ３＝０では「２４時間以内に停波」、ＳＴ１＝１・ＳＴ２＝０・ＳＴ３＝１では「１２時間以内に停波」、ＳＴ１＝ＳＴ２＝１・ＳＴ３＝０では「２時間以内に停波」となっている。次に停波時間帯予告は、ＳＴ４＝１では「昼間のみ」、ＳＴ４＝０では「終日、または停波予定無し」である。次に停波期間予告は、ＳＴ５＝ＳＴ６＝０では「停波予定無し」、ＳＴ５＝０・ＳＴ６＝１では「７日以上停波、または期間不明」、ＳＴ５＝１・ＳＴ６＝０では「２から６日以内で停波」、ＳＴ５＝ＳＴ６＝１では「２日未満で停波」となっている。
【００３３】
【表３】
0003853609.tif 000004
【００３４】
以上、郵政省通信総合研究所（ＣＲＬ）が運用管理している長波の標準時刻情報を含む電波による送信情報について詳述した如く、標準時刻情報以外に予備ビットによる情報、うるう秒情報、停波情報も送信情報に含まれる。
【００３５】
受信スイッチ１２は、強制受信動作を行わせるときにオンされる。
この受信スイッチ１２がオンされたとき、または図示しない電池をセットしたときに電波修正時計は、標準時刻電波信号を強制的に受信して修正を行う修正モード（強制修正モード）になる。
【００３６】
発振回路１３は、水晶発振器ＣＲＹおよびキャパシタＣ2 ，Ｃ3 により構成され、所定周波数の基本クロックを制御回路１４に供給する。
【００３７】
制御回路１４は、分針カウンタ、秒針カウンタ、標準分・秒カウンタ等を含む内部時計１４ａを有しており、たとえば初期修正モード時には、標準電波信号受信系１１によるパスル信号Ｓ１１を受けて、受信した標準電波信号の受信状態があらかじめ決められた基準範囲と比較し、受信状態が基準範囲内にある場合には、第１および第２の制御信号ＣＴＬ1 ，ＣＴＬ2 をバッファ１７を介して、秒針駆動系としてのステッピングモータ１２１に出力して指針位置検出（初期設定）を行い、受信状態が基準範囲にない場合には、第１および第２の制御信号ＣＴＬ1 ，ＣＴＬ2 を出力せずに、ドライブ信号ＤＲ1 をドライブ回路１５に出力して、報知手段としての発光素子１６を発光させてユーザに電波信号がほとんどできない旨を報知させる。
【００３８】
そして、受信状態が基準範囲内にある場合に初期設定を行わせた後、受信した電波信号をデコードし、デコードの結果、時刻化が可能である場合には、発振回路１３による基本クロックに基づいて各種カウンタのカウント制御並びに光検出センサによる検出信号ＤＴ1 の入力レベルに応じて、制御信号ＣＴＬ1 ，ＣＴＬ2 、をバッファ回路１７を介して秒針用のステッピングモータ１２１および時分秒用のステッピングモータ１３１に出力して回転制御を行うことにより早送り時刻制御を行う。
また、制御回路１４は、液晶表示パネル３０に修正時刻を表示させる。
一方、デコードの結果、時刻化が不可能である場合には、制御信号ＣＴＬ1 ，ＣＴＬ2 を出力せずに、ドライブ信号ＤＲ1 をドライブ回路１５に出力して、報知手段としての発光素子１６を発光させてユーザーに電波受信が良好でない旨を報知させる。
これにより、初期修正モードの動作を完了させる。
【００３９】
また、制御回路１４は、初期修正モードの動作を完了させた後、通常修正モードの制御を行う。
通常修正モードにおいては、初期修正モード時の初期設定動作後と同様の動作を行う。
具体的には、受信した電波信号をデコードし、デコードの結果、時刻化が可能である場合には、発振回路１３による基本クロックに基づいて各種カウンタのカウント制御並びに光検出センサ１４０による検出信号ＤＴ1 の入力レベルに応じて、制御信号ＣＴＬ1 ，ＣＴＬ2 をバッファ１７を介して秒針用のステッピングモータ１２１および時分秒用のステッピングモータ１３１に出力して回転制御を行うことにより早送り時刻修正制御を行う。
そして、制御回路１４は、液晶表示パネル３０に修正時刻を表示させる。
一方、デコードの結果、時刻化が不可能である場合には、制御信号ＣＴＬ1 ，ＣＴＬ2 を出力せずに、ドライブ信号ＤＲ1 をドライブ回路１５に出力して、報知手段としての発光ダイオード１６を発光させてユーザーに電波受信が良好でない旨を報知させる。
【００４０】
なお、上記の説明では、受信状態が基準範囲外にあると判別するときは、電波が弱かったり、ノイズが多いときである。
電波が非常に弱い場合には、図６（ｃ）に示すように、数個の信号分、ローレベル（Ｌ）かハイレベル（Ｈ）のままになる。
また、ノイズが多いときは、時刻電波と無関係にレベルが変化する。
これらの状態にある信号Ｓ１１を、たとえば１０秒に２回あるいはそれ以上受けたときには、受信状態が基準範囲外にあると判別する。
具体的には、たとえば１０秒程度を検出時間として、時間内においてレベルの変化が１秒以内に検出されなかったときおよび検出したパルス幅が０．８、０．５、０．２秒付近でなかったときをＮＧとして、ＮＧが２回以上発生したときには受信不可能と判断する。
【００４１】
また、制御回路１４は、あらかじめ定められた位置検出時刻、たとえば、毎日午前１２時００分に、ドライブ回路１５にドライブ信号ＤＲ2 を出力し、発光素子１４２を検出光を発光させ、光検出センサ１４０により、検出光が検出されるか否かの判別を行う。
検出信号ＤＴ1 が検出されない場合には、所定の頻度、たとえば、月に１回等の頻度で、検出光が検出されない場合には、ドライブ回路１５に、ローレベルのドライブ信号ＤＲ1 を一定の間隔で出力して、発光素子１６を点滅させて、警告を行う。
そして、制御回路１４は、制御信号ＣＴＬ1 ，ＣＴＬ2 をバッファ１７を介して秒針用のステッピングモータ１２１および時分秒用のステッピングモータ１３１に出力して回転制御を行い指針位置を検出する。そのとき、指針位置を検出するまでの検出時間が所望の時間の範囲外の場合には、再度、制御信号ＣＴＬ1 ，ＣＴＬ2 をバッファ１７を介して秒針用のステッピングモータ１２１および時分秒用のステッピングモータ１３１に出力して回転制御を行い指針位置を検出する。
【００４２】
そして、制御回路１４は、検出時間が所望の時間の範囲内の場合には内部時計１４ａと一致するまで、制御信号ＣＴＬ1 ，ＣＴＬ2 をバッファ１７を介して秒針用のステッピングモータ１２１および時分秒用のステッピングモータ１３１に出力して、早送り修正を行う。
【００４３】
ドライブ回路１５は、ｐｎｐ型トランジスタＱ1 および抵抗素子Ｒ1 ，Ｒ2 により構成されている。
トランジスタＱ1 のベースが抵抗素子Ｒ1 を介して制御回路１４のドライブ信号ＤＲ1 の出力ラインに接続され、コレクタが抵抗素子Ｒ2 を介して発光ダイオードからなる発光素子１６のアノードに接続され、エミッタが電源電圧ＶCCの供給ラインに接続されている。そして、発光素子１６のカソードが接地されている。
すなわち、発光素子１６は、制御回路１４からローレベルのドライブ信号ＤＲ1 が出力されたときに発光するようにドライブ回路１５に接続されている。
また、発光素子１６は、制御回路１４から一定の間隔で出力されたドライブ信号ＤＲ1 に応じて、点滅を行い警告を行う。
【００４４】
また、ドライブ回路１８は、ｐｎｐ型トランジスタＱ2 、および抵抗素子Ｒ3，Ｒ4 により構成されている。
【００４５】
修正用スイッチ群２０は、液晶表示パネル３０のデジタル表示を修正するための修正モードスイッチ２１、表示切換スイッチ２２、アップスイッチ（ＵＰ）２３、およびダウンスイッチ（ＤＮ）２４が制御回路１４の４つの入力端子に対して並列に接続されている。
たとえば、修正モードスイッチ２１がオンされると、制御回路１４は、ボタン修正モードに移行する。
なお、制御回路１４は、標準電波信号の受信中または通常動作時に、この修正モードスイッチ２１を受け付けて、ボタン修正モードに移行する。
アップスイッチ２３、またはダウンスイッチ２４はたとえば押しボタンスイッチであり、デジタル表示時刻の修正時に、これらのスイッチが押された瞬間に制御信号１４は、制御信号ＣＴＬ1 、ＣＴＬ2 の出力を停止させて、停止時刻を液晶表示パネル３０に表示させる。
【００４６】
次に、電波修正時計のムーブメントおよ指針位置検出系の具体的な構成について、図２、図３、図７〜図１５に関連付けて説明する。
【００４７】
時計本体１００は、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系１２０、第２駆動系１３０、光検出センサ１４０、手動修正系１５０等が固定あるいは軸支されている。
【００４８】
第１駆動系１２０は、図２、図３および図７に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用ステッピングモータ１２１と、ロータ１２１ｃのピニオン１２１Ｃ’に大径歯車１２２ａが噛合した第１伝達歯車（第１検出用歯車）としての第１の５番車１２２と、この第１の５番車１２２の小型歯車１２２ｂに噛合した第２検出用歯車（第１指針車）としての秒針車１２３とにより構成されている。
ここで、秒針用ステッピングモータ１２１は、ステータ１２１ａが中板１１３に載置して固定され、ロータ１２１ｃが中板１１３と上ケース１２とに軸支されており、制御回路１４の出力制御信号ＣＴＬ1 に基づいて、その回転方向、回転角度、および回転速度が制御される。
【００４９】
第１の５番車１２２は、大径歯車１２２ａの歯数が６０個、小径歯車１２２ｂの歯数が１５個に形成され、下ケース１１１および上ケース１２１に回動自在に軸支され、その大径歯車１２２ａが秒針用ステッピングモータ１１２のロータ１２１ｃ（ピニオン１２１ｃ’）と噛合して、ロータ１２１ｃの回転速度を所定速度に減速させる。この第１の５番車１２２には、図９および図１１に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００５０】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針２０２が取り付けられている。この秒針車１２３には、図１３に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２２ｄとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００５１】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００５２】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｅとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２２の回転角度位置の位置決めに用いることで、確実な位置決めを行うことができる。
【００５３】
秒針車１２２においては、図１０に示すように、複数（１１個）の透孔１２３ｃを設ける代わりに、図１１に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２２を形成する材料の無駄を低減することができる。
【００５４】
第２駆動径１３０は、図２、図３、および図８に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分秒針用ステッピングモータ１３１とロータ１３１ｃのピニオン１３１ｃ’に大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用ステッピングモータ１３１は、ステータ１３１ａが中板１１３に載置して固定され、ロータ１３１ｃが中板１１３と上ケース１１２とに軸支されており、制御回路の出力制御信号に基づいて、その回転方向、回転角度、および回転速度が制御される。
【００５５】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用ステッピングモータ１３１のロータ１３１ｃ（ピニオン１３１ｃ’）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００５６】
３番車１３３は、大径歯車１３２ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１３に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００５７】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤２０１側に突出しており、その先端には分針２０３が取り付けられている。
【００５８】
また、分針車１３４には、図１３に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｄと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００５９】
また、円弧状透孔１３４ｃは、一端側の円形部１３４ｃ’と、他端側から伸びる幅広円弧部１３４ｃ’’と、両者を連結する幅狭円弧部１３４ｃ’’’とにより形成されている。この幅狭円弧部１３４ｃ’’’により画定される円形部１３４ｃ’は、検出光を通過させるだけでなく、分針車１３４を組み付ける際の位置決め孔（度決め孔）として用いられるものである。
【００６０】
時針車１３６は、大型歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字板２０１側に突出しており、その先端には時針２０４が取り付けられている。
【００６１】
また、時針車１３６には、図１４に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、さらに、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００６２】
また、円弧状透孔１３６ｃは、一端側から中心角β１で７．５°のところに位置する円形部１３６ｃ’と、他端側から伸びる幅広円弧部１３６ｃ’’と、両者を連結すると共に円形部１３６ｃ’の両側に位置する幅狭円弧部１３６ｃ’’’とにより形成されている。この幅狭円弧部１３６ｃ’’’により画定される円形部１３４ｃ’は、検出光を通過させるだけでなく、時針車１３６を組み付ける際の位置決め孔（度決め孔）として用いられるものである。
【００６３】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３４ｂが時針車１３６（１３６ａ）に噛合して、分針車１３４の回転を減速して時針車１３６に伝達する。
【００６４】
光検出センサ１４０は、図２に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ2 のコレクタに接続されたドライブ回路１８における抵抗素子Ｒ4 の他端に接続され、カソードは、接地されるとともに、受光素子１４４のエミッタに接続されている。
受光素子１４４のコレクタは、制御回路１４に接続されている。この制御回路との接続ラインは、検出信号ＤＴ1 の制御回路１４への出力ラインとなっており、この出力ラインは、抵抗素子Ｒ5 を介して電源電圧ＶCCの供給ラインに接続されている。
ドライブ回路１８のトランジスタＱ2 のエミッタは電源電圧ＶCCの供給ラインに接続され、ベースは抵抗素子Ｒ3 を介してドライブ信号ＤＲ2 の出力ラインに接続されている。
すなわち、発光素子１４２は、制御回路１４からローレベルのドライブ信号ＤＲ2 が出力されたとき発光するようにドライブ回路１９に接続されている。
【００６５】
また、図３に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００６６】
さらに、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【００６７】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１２ｃに受光素子１４４を取付ける。
【００６８】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合にくらべて装置の集約化、小型化を行うことができる。
【００６９】
手動修正系１５０は、図２および図３に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００７０】
手動修正軸１５１は、分針車１３４と同位相で回転するように構成されており、上述の第２駆動系１３０により分針車１３４が駆動されているときには日の裏車１３５を介して分針車１３４と同位相で回転するとともに、第２駆動系１３０の非作動時には、頭部１５１ｂを指で回転させることにより、指針位置を手動修正できるようになっている。
【００７１】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【００７２】
分針車１３４の分針パイプ１３４ｐの先端部および時針車１３６の時針パイプ１３６ｐの先端部には、図１３に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻例えば１２時００分を指すように設定されている。
【００７３】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【００７４】
次に、上記構成による動作を、制御回路１４における制御動作を中心に、図１６から図２０を参照しながら説明する。
【００７５】
たとえばユーザにより受信スイッチ１２がオンされると、制御回路１４において、各種状態が初期状態に戻され、強制修正モードとなる（ＳＴ１）。
このとき、たとえば指針も停止され、液晶表示パネル３０に表示されていた年月日や曜日情報等を含むカレンダー表示が初期設定される。
また、受信スイッチ１２がオンされたことにより、たとえば制御回路１４から標準電波信号受信系１１に駆動電力が供給されて、標準電波信号の受信動作が行われる（ＳＴ２）。
【００７６】
たとえば、標準電波信号受信系１１の長波受信回路１１ｂにおいて、アンテナ１１ａによる受信信号が増幅された後、検波回路で復調され、波形整形回路で２値信号に変更され、デジタルの時刻コード信号Ｓ１１として出力される。
【００７７】
ステップＳＴ２の受信動作後、受信状態が基準範囲内にあり、ボタン修正モードでない場合には（ＳＴ３，ＳＴ４）、次の指針位置検出動作に移行する（ＳＴ５）。
【００７８】
また、ステップＳＴ３において修正ボタンの入力があると判別された場合およびステップＳＴ４において受信状態が基準範囲外の場合には、ステップＳＴ５と同様の指針位置検出が行われ（ＳＴ７）、ステップＳＴ８の処理に進む。
【００７９】
次に、ステップＳＴ５の指針位置検出動作について図１８を参照して説明する。
まず、制御回路１４では、経過時間のカウンタがリセットされ（ＳＴ５１）、指針早送り動作に移行する（ＳＴ５２）。
【００８０】
指針早送り動作は、図１９に示すように、まず、制御回路１４から時分秒用パルス信号出力パターンがセットされ（ＳＴ５２１）、ドライブ信号ＤＲ2 がドライブ回路１８にローレベルで出力される。これにより、トランジスタＱ2 がオンし、発光素子１４２、すなわち発光ダイオードから検出光が発せられる。
【００８１】
そして、制御回路１４から第１および第２の制御信号ＣＴＬ1 ，ＣＴＬ2 が出力されて秒針用ステッピングモータ１２１および時分秒用ステッピングモータ１３１がパルス駆動される（ＳＴ５２２）。
【００８２】
そして、所望の時間、たとえば、３２ｍｓだけカウントされ、カウントが終了すると（ＳＴ５２３）、制御回路１４からの第１および第２の制御信号ＣＴＬ1
，ＣＴＬ2 の出力が停止されて、秒針用ステッピングモータ１２１および時分秒用ステッピングモータ１３１のパルス駆動が停止される（ＳＴ５２４）。
【００８３】
次に、極性が反転したかたちで制御回路１４から第１および第２の制御信号ＣＴＬ1 ，ＣＴＬ2 が出力され（ＳＴ５２５）、１秒目か否かの判別が行われ（ＳＴ５２６）、１秒目の場合には、時刻カウンタの加算が行われ（ＳＴ５２７）、そして経過時間のカウンタが加算される（ＳＴ５２８）。
【００８４】
そして、光センサ１４０を駆動して検出信号ＤＴ1 の入力状態がチェック可能な状態とされる（ＳＴ５２９）。
【００８５】
また、ステップＳＴ５２６の判別において、１秒目でないと判別された場合には、ステップＳＴ５２９の処理に進む。
【００８６】
そして、所望の時間、たとえば１６ｍｓの時間がカウントされ、カウントが終了すると（ＳＴ５３０）、次のステップＳＴ５３の処理に進む。
【００８７】
次に、光センサ１４０の出力パターン判別が行われる（ＳＴ５３）。
ここで、記出力パターンとあらかじめ記憶されたパターンとの比較による時刻修正は、３種類のパターンのいずれかに合わせることにより行われる。
【００８８】
すなわち、分針車１３４によるフォトトランジスタの出力パターンは、図２０（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図２０（ｂ）に示すように、遮光部が作用するオフの幅が３種類のＤ部、Ｅ部、Ｃ部が所定間隔をおいて交互に現れるようなパターンとなり、両者を合成した出力パターンは、図２０（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図２０に示すパターンのうちオンとなるパターンの部分は、実際には３番車１３３の遮光部によりオフとなる部分があるので、歯抜け状のパターンとなっている。
【００８９】
そこで、Ｄ部，Ｂ部およびＡ部の組み合わせからなるパターンが確認されたときを例えば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分としてあらかじめ設定して置く。
そして、この設定されたパターンと比較し、１２時００分の位置か否かの判別（ＳＴ５４）、また、４時００分の位置か否かの判別（ＳＴ５５）、８時００分の位置か否かの判別が行われる（ＳＴ５６）。
【００９０】
そして、ステップＳＴ５４，ステップＳＴ５５，およびステップＳＴ５６のいずれにおいても、異なる位置と判別された場合は、ステップＳＴ５２の処理に戻る。
【００９１】
また、  そして、ステップＳＴ５４，ステップＳＴ５５，およびステップＳＴ５６のいずれかの処理で、所定の位置と判別された場合には、所定の処理に戻る。
【００９２】
次に、時刻のアナログ表示を行う時針の早送り修正動作が行われる（ＳＴ６）。この指針の早送り修正動作は、時間カウンタの値に応じて、第１および第２の制御信号ＣＴＬ1 ，ＣＴＬ2 を秒針用ステッピングモータ１２１および時分針用ステッピングモータ１３１に出力して、早送りで回転駆動させ、指針位置を時間カウンタの時刻に修正する。
【００９３】
そして、受信状態が、基準範囲外の場合には「不可」、受信状態が基準範囲内の場合には「良好」とセットされる（ＳＴ８）。
【００９４】
そして、発振回路１３において、１秒の時間がカウントされると（ＳＴ９）、内部時計１４ａである時刻カウンタでは、１秒だけカウントアップが行われる（ＳＴ１０）。
そして、第１の制御信号ＣＴＬ1 が出力されて、秒針用ステッピングモータ１２１がパルス駆動される（ＳＴ１１）。
【００９５】
そして、時刻カウンタにおいて１０秒毎に、第２の制御信号ＣＴＬ2 が出力されて、時分針用ステッピングモータ１３１がパルス駆動される（ＳＴ１２）。
【００９６】
そして、セットされた受信状態が「不可」の場合には、ドライブ信号ＤＲ1 がドライブ回路１５に出力され、報知手段としての発光素子１６が発光し、ユーザに電波信号がほとんどできない旨を報知させる。
【００９７】
通常修正モードにおいては、ボタン修正モードでない場合には（ＳＴ１４）、あらかじめ設定された受信時刻であるか否かの判断が行われ（ＳＴ１５）、設定時刻でない場合には、位置検出時刻、たとえば、午前１２時００分００秒であるか否かの判別が行われ（ＳＴ１６）、ステップＳＴ２３の処理に進む。
【００９８】
ステップＳＴ１６において、位置検出時刻でないと判別された場合には、ステップＳＴ９の処理に戻る。
【００９９】
ステップＳＴ１４において、修正スイッチ１３がオンされてボタン修正モードに移行すると、所定のボタン修正動作が行われる（ＳＴ１７）。そして、ステップＳＴ２２の処理に進む。
【０１００】
ステップＳＴ１５において、自動受信時刻であると判別された場合には、標時刻電波信号の受信が行われる（ＳＴ１８）。
ステップＳＴ１８の受信動作において、受信不可か否かの判別が行われ（ＳＴ１９）、受信が良好の場合には、内部時計との差が有るか否かの判別が行われる。
【０１０１】
ステップＳＴ１９において、受信が不可であると判別された場合、およびステップＳＴ２０において、内部時計１４ａと受信された時刻との差がないと判別された場合には、ステップＳＴ２２の処理に進む。
【０１０２】
そして、ステップＳＴ２０において、内部時計１４ａと差があると判別された場合には、早送り修正が行われる（ＳＴ２１）。
【０１０３】
ステップＳＴ２２では、受信状態が、基準範囲外の場合および修正ボタン入力時には「不可」、受信状態が基準範囲内の場合には「良好」とセットされ、ステップＳＴ９の処理に戻る。
【０１０４】
そして、ステップＳＴ１６において、位置検出時刻か否かの判別で、位置検出時間であると判別された場合には、ステップＳＴ２３の処理に進む。
【０１０５】
ステップＳＴ２３では、ドライブ信号ＤＲ2 がドライブ回路１８にローレベルで出力される。これにより、トランジスタＱ2 がオンし、発光素子１４２から検出光が発せられる。
そして、受光素子１４４すなわちフォトトランジスタがオンし、検出信号ＤＴ1 がハイレベル（電源電圧ＶCCレベル）からローレベルに切り換わったか否かの判別が行われ（ＳＴ２３）、ローレベルに切り換わった場合には、ステップＳＴ９の処理に戻る。
【０１０６】
ステップＳＴ２３において、たとえば、位置検出時刻である午前１２時００分００秒に、受光素子１４４が、ローレベルに切り換わらない、つまり時分秒針が揃っていない場合には、その揃っていない状態の頻度の判別が行われる（ＳＴ２４）。
【０１０７】
たとえば、月に１回以上の頻度で、その揃っていない状態が現れると判別された場合には、たとえば、ドライブ信号ＤＲ1 を一定の間隔でドライブ回路１５に出力して、発光素子１６を点滅させてユーザに警告表示が行われ（ＳＴ２５）、ステップＳＴ９の処理に戻る。
【０１０８】
ステップＳＴ２４の判別において、揃っていない状態が所定の回数以下の頻度の場合には、指針位置検出の処理が行われる（ＳＴ２６）。
【０１０９】
このステップＳＴ２６の処理は、ステップＳＴ５の処理と同じ処理であるので省略する。
【０１１０】
そして、経過時間が異常か否かの判別が行われ（ＳＴ２７）、経過時間が異常であると判別された場合には、再度、ステップＳＴ２６の処理に戻る。
つまり、たとえば、位置検出時間である１２時００分の位置から位置検出を行うと、次に止まる位置が、４時００分、８時００分と決まっているために、送る時間で正常か否かが判別できる。
【０１１１】
ステップＳＴ２７の判別において、経過時間が異常でないと判別された場合には、内部時計１４ａと一致するまで、制御信号ＣＴＬ1 ，ＣＴＬ2 秒針用ステッピングモータ１２１および時分針用ステッピングモータ１３１に出力して、早送りで回転駆動させ、指針位置を内部時計１４ａの時刻に修正動作が行われ（ＳＴ２８）、ステップＳＴ９の処理に戻る。
【０１１２】
このように、指針の修正動作において、分針車１３４および時針車１３６に、検出光を通過させるための透孔として、円弧状透孔すなわち長孔を用いているため、光検出センサ１４０がオンとなる範囲が広がり、位置検出時間を短縮でき、その結果、秒針の時刻修正を行う時間を短縮することができる。また、時針車１３６に３種類の遮光部Ｃ，Ｄ，Ｅを設けたことから、３箇所のいずれかを検出して時刻修正を行うことができ、また、最も回転速度の遅い時針車１３６を従来に比べ略１／３回転させるだけで位置検出ができ、これにより、分針２０３および時針２０４の時刻修正を行う時刻を短縮することができる。
【０１１３】
以上説明したように、本実施の形態によれば、第１駆動系１２０の秒針車１２３と、第２駆動系１３０の分針車１３４と、少なくとも秒針車１２３および分針車１３４のそれぞれに形成された指針位置検出用の透孔１２３ｃおよび透孔１３４ｃ’が重なり合うことができる領域に検出光を出射する発光素子１４２と、透孔１２３ｃおよび透孔１３４ｃ’の重なり領域の全ての透孔を通過した光を受光可能な位置に配置され、受光レベルに応じた検出信号を出力する受光素子１４４を含む光検出センサ１４０と、警告信号を受けて点滅して警告を発する発光素子１６と、内部時計１４ａが所定の時刻になると、光検出センサ１４０に透孔１２３ｃおよび透孔１３４ｃ’の重なり状態を検出させ、重なっていない場合には、第１駆動系１２０および第２駆動系１３０とを駆動させて指針位置を検出させ、前記指針位置を検出するまでの検出時間が所望の時間の範囲外の場合には、再度、第１駆動系１２０および第２駆動系１３０とを駆動させて指針位置を検出させ、検出時間が所望の時間の範囲内の場合には、光検出センサ１４０の指針位置検出結果に基づいて、内部時計１４ａと一致するように指針位置を修正し、所望の重なり状態でない場合が所定の回数よりも多い場合には、発光素子１６にドライブ信号ＤＲ1 を一定の間隔で出力することで警告信号を出力する制御回路１４とを設けたので、指針位置検出の不良等で、内部時計１４ａと指針の表示がずれてしまった場合であっても、自動的に指針位置を修正可能である。
また、位置検出の不良で、表示時刻がずれることはない。
また、完全な不良で、繰り返し位置検出を行う場合は警告表示が行われるために、急に電池がなくなることはない。
【０１１４】
なお、本発明は本実施の形態に限られるものではなく、任意好適な種々の改変が可能である。たとえば、本実施の形態では、警告は発光素子１６が点滅することで行われたが、この形態に限られるものではない。たとえば、運針の方法を２秒運針や、５秒運針などにして警告を行ってもよいし、警告音を発音するスピーカを設けてもよい。
【０１１５】
【発明の効果】
以上説明したように、本発明によれば、指針位置検出の不良等で、内部時計と指針の表示がずれてしまった場合であっても、自動的に指針位置を修正可能である。
【図面の簡単な説明】
【図１】本発明に係る電波修正時計の信号処理系回路の一実施の形態を示すブロック構成図である。
【図２】本発明に係る電波修正時計の指針位置検出装置の一実施の形態の全体構成を示す断面図である。
【図３】本発明に係る指針位置検出装置の要部の平面図である。
【図４】図１の電波修正時計の外観を示す正面図である。
【図５】標準時刻電波の信号パターンを示す図である。
【図６】標準時刻電波信号の時刻コードの一例を示す図である。
【図７】自動修正時計の一部である秒針を駆動する第１駆動系を示す平面図である。
【図８】自動修正時計の一部である分針および時針を駆動する第２駆動系を示す平面図である。
【図９】秒針を駆動する第１駆動系の一部をなす第１の５番車を示す平面図である。
【図１０】秒針を駆動する第１駆動系の一部をなす秒針車を示す平面図である。
【図１１】  秒針を駆動する第１駆動系の一部をなす秒針車の他の例を示す平面図である。
【図１２】分針および時針を駆動する第２駆動系の一部をなす３番車を示す平面図である。
【図１３】分針および時針を駆動する第２駆動系の一部をなす分針車を示す平面図である。
【図１４】分針および時針を駆動する第２駆動系の一部をなす時針車を示す平面図である。
【図１５】分針パイプおよび時針パイプの先端部を示す端面図である。
【図１６】本発明に係る電波修正時計の制御回路における制御動作を説明するためのフローチャートである。
【図１７】本発明に係る電波修正時計の制御回路における制御動作を説明するためのフローチャートである。
【図１８】本発明に係る電波修正時計の制御回路における指針位置検出動作を説明するためのフローチャートである。
【図１９】本発明に係る電波修正時計の制御回路における指針早送り動作を説明するためのフローチャートである。
【図２０】修正操作において、分針車、時針車、および両者の合成による検出手段の出力パターンを示す図である。
【符号の説明】
１０…信号処理系回路
１１…標準電波信号受信系
１２…受信スイッチ
１３…発振回路
１４…制御回路
１５…ドライブ回路
１６…発光素子
１７…バッファ回路
１８…ドライブ回路
２０…修正用スイッチ群
２１…修正スイッチ
２２…表示切換スイッチ
２３…アップスイッチ
２４…ダウンスイッチ
３０…液晶表示パネル
１００…時計本体
１１１…下ケース（第２ケース）
１１１ｃ…取付け凹部（第２配置部）
１１１ｄ…円形貫通孔
１１２…上ケース（第１ケース）
１１３…中板
１２０…第一駆動系
１２１…秒針用ステッピングモータ（第一駆動源）
１２２…第１の５番車（第一伝達歯車、第一検出用歯車）
１２２ｃ…透孔１２２
１２３…秒針車（第２検出用歯車、第一指針車）
１２３ｃ…透孔
１２３ｄ…位置決め遮光部
１２３ｅ…付勢ばね
１２３ｆ…切り欠き孔
１２３ｇ…切り欠き孔
１３０…第２駆動系
１３１…分針系ステッピングモータ（第２駆動源）
１３２…第２の５番車
１３３ｃ…透孔
１３４…分針車（第４検出用歯車、第２指針車）
１３４ｃ…円弧状透孔
１３４ｄ…円弧状透孔
１３４ｅ…円弧状透孔
１３４ｇ…溝（第１指標）
１３４ｐ…分針パイプ
１３５…日の裏車
１３６…時針車（第５検出用歯車、第２指針車）
１３６ｃ…円弧状透孔
１３６ｄ…円弧状透孔
１３６ｅ…円弧状透孔
１３６ｇ…溝鵜（第２指標）
１３６ｐ…時針パイプ
１４０…光検出センサ（検出手段）
１４２…発光素子
１４４…受光素子
１５０…手動修正系
ＶCC…電源電圧
Ｃ1 〜Ｃ3 、Ｃ11，Ｃ12，Ｃb1，Ｃb2…キャパシタ
Ｌ11，Ｌb1，Ｌb2…同調コイル
Ｒ1 〜Ｒ5 …抵抗素子
【図１】
0003853609.tif 000005
【図２】
0003853609.tif 000006
【図３】
0003853609.tif 000007
【図４】
0003853609.tif 000008
【図５】
0003853609.tif 000009
【図６】
0003853609.tif 000010
【図７】
0003853609.tif 000011
【図８】
0003853609.tif 000012
【図９】
0003853609.tif 000013
【図１０】
0003853609.tif 000014
【図１１】
0003853609.tif 000015
【図１２】
0003853609.tif 000016
【図１３】
0003853609.tif 000017
【図１４】
0003853609.tif 000018
【図１５】
0003853609.tif 000019
【図１６】
0003853609.tif 000020
【図１７】
0003853609.tif 000021
【図１８】
0003853609.tif 000022
【図１９】
0003853609.tif 000023
【図２０】
0003853609.tif 000024